(57)【要約】【課題】操作が容易で、使用状況に応じて照明装置の点灯時間等の照明態様を制御できる。【解決手段】各種操作を行う操作部５と、各種情報を表示する表示部１０と、表示部１０の照明を行う照明装置１２と、を備えた携帯型情報処理装置をコンピュータにより制御するための制御プログラムにおいて、当該携帯型情報処理装置の使用状況を検出させ、前記操作部の操作状態および検出した使用状況に応じて前記照明部の照明態様を変更させる、【選択図】図２
2008234399.tif 000002
【特許請求の範囲】
【請求項１】
各種操作を行う操作部と、
各種情報を表示する表示部と、
前記表示部の照明を行う照明部と、
当該携帯型情報処理装置の使用状況を検出する使用状況検出部と、
前記操作部の操作状態および検出した使用状況に応じて前記照明部の照明態様を変更する照明制御部と、
を備えたことを特徴とする携帯型情報処理装置。
【請求項２】
請求項１記載の携帯型情報処理装置において、
前記照明制御部は、前記操作部の同一の操作状態に対し、前記使用状況に応じて前記照明態様の変更態様を異ならせることを特徴とする携帯型情報処理装置。
【請求項３】
請求項２記載の携帯型情報処理装置において、
前記照明制御部は、前記同一の操作状態に対し、前記使用状況毎に対応づけて前記変更態様を複数記憶する変更態様記憶部を備えたことを特徴とする携帯型情報処理装置。
【請求項４】
請求項１ないし請求項３のいずれかに記載の携帯型情報処理装置において、
前記照明制御部は、前記操作部の操作状態に応じて同一の使用状況下における照明態様を変更することを特徴とする携帯型情報処理装置。
【請求項５】
請求項４記載の携帯型情報処理装置において、
前記操作状態は、操作継続時間あるいは単位時間当たりの操作回数であることを特徴とする携帯型情報処理装置。
【請求項６】
請求項１ないし請求項６のいずれかに記載の携帯型情報処理装置において、
前記照明態様は、照明時間あるいは照明の明るさであることを特徴とする携帯型情報処理装置。
【請求項７】
請求項１ないし請求項６いずれかに記載の携帯型情報処理装置において、
前記使用状況は、潜水状態および非潜水状態を含むことを特徴とする携帯型情報処理装置。
【請求項８】
請求項１ないし請求項７のいずれかに記載の携帯型情報処理装置において、
前記使用状況は、バッテリの容量を含み、
前記照明制御部は、前記同一の操作状態に対し、前記バッテリの容量に応じて表示態様を異ならせることを特徴とする携帯型情報処理装置。
【請求項９】
各種操作を行う操作部と、各種情報を表示する表示部と、前記表示部の照明を行う照明部と、を備えた携帯型情報処理装置の制御方法において、
当該携帯型情報処理装置の使用状況を検出する使用状況検出過程と、
前記操作部の操作状態および検出した使用状況に応じて前記照明部の照明態様を変更する照明制御過程と、
を備えたことを特徴とする携帯型情報処理装置の制御方法。
【請求項１０】
各種操作を行う操作部と、各種情報を表示する表示部と、前記表示部の照明を行う照明部と、を備えた携帯型情報処理装置をコンピュータにより制御するための制御プログラムにおいて、
当該携帯型情報処理装置の使用状況を検出させ、
前記操作部の操作状態および検出した使用状況に応じて前記照明部の照明態様を変更させる、
ことを特徴とする制御プログラム。
【発明の詳細な説明】
【技術分野】
【０００１】
本発明は、携帯型情報処理装置、その制御方法および制御プログラムに係り、特に携帯型情報処理装置の表示部の照明制御技術に関する。
【背景技術】
【０００２】
現在、小型携帯機器にはバックライト等の照明装置が設けられている（例えば、特許文献１参照）。多くの小型携帯機器は照明ボタンを押すと、数秒間点灯して自動で消灯するようになっているものが、一般的である。
また、押している間は常に点灯しているものも提案されている。
ところで、例えば、ダイバーズ用情報処理装置は、浮上速度が速くなりすぎないように、水深を見ながら浮上を行ったり、あるいは表示情報に従って、水深を見ながら一定水深で停止する必要があり、このように表示にしたがって行動するための機器においては、しばらくの間、照明装置が点灯し続けて欲しいものも存在する。
【特許文献１】再表９９／４３１４号
【発明の開示】
【発明が解決しようとする課題】
【０００３】
一方、小型携帯機器は、バッテリの容量少なく、照明装置を常時点灯させている事はできない。特に照明ボタンを押すと、数秒間点灯して自動で消灯するような機器においては、照明ボタンを押す操作に対応する点灯時間が短ければ、幾度も操作が必要となる。
特にダイバーズ用情報処理装置においては、水中の動作にあわせて、設定により長い点灯時間とすると、陸上で時間を見るだけの場合のように、短時間しか照明が必要ない場合には、無駄に消費電力が消費されることとなり好ましくない。
また、非潜水状態（陸上使用時）と潜水時（水中使用時）とで、点灯時間を切り替えるのに、いちいちモードを切り替える必要も生じる。
【０００４】
さらにボタンを押している間常に点灯する構成を採っても、水中では、カメラや工具等を手にもっており、ずっとボタンを押しつづけている事は非常に難しいという問題があった。
そこで、本発明の目的は、操作が容易で、使用状況に応じて照明装置の点灯時間等の照明態様を制御することが可能な携帯型情報処理装置、その制御方法および制御プログラムを提供することにある。
【課題を解決するための手段】
【０００５】
上記課題を解決するため、各種操作を行う操作部と、各種情報を表示する表示部と、前記表示部の照明を行う照明部と、当該携帯型情報処理装置の使用状況を検出する使用状況検出部と、前記操作部の操作状態および検出した使用状況に応じて前記照明部の照明態様を変更する照明制御部と、を備えたことを特徴としている。
上記構成によれば、使用状況検出部は、当該携帯型情報処理装置の使用状況を検出し、照明制御部は操作部の操作状態および検出した使用状況に応じて照明部の照明態様を変更して表示部を照明する。
【０００６】
この場合において、前記照明制御部は、前記操作部の同一の操作状態に対し、前記使用状況に応じて前記照明態様の変更態様を異ならせるようにしてもよい。
上記構成によれば、操作部の操作が同一であっても使用状況に応じて照明態様の変更態様を異ならせることができるので、ユーザの操作性が向上する。
【０００７】
また、前記照明制御部は、前記同一の操作状態に対し、前記使用状況毎に対応づけて前記変更態様を複数記憶する変更態様記憶部を備えるようにしてもよい。
上記構成によれば、より容易に照明態様の変更が行える。
【０００８】
また、前記照明制御部は、前記操作部の操作状態に応じて同一の使用状況下における照明態様を変更するので、様々な状況に応じて照明態様を変更することができる。
また、前記操作状態は、操作継続時間あるいは単位時間当たりの操作回数であるようにしてもよい。
上記構成によれば、ユーザは照明態様の変更操作を容易に理解し、使いこなすことができる。
【０００９】
また、前記照明態様は、照明時間あるいは照明の明るさであるようにしてもよい。
上記構成によれば、ユーザは容易な操作で照明時間あるいは照明の明るさを所望の状態に変更することができる。
また、前記使用状況は、潜水状態および非潜水状態を含むようにしてもよい。
上記構成によれば、潜水状態および非潜水状態で照明態様を容易に変更することができ、より使用状況に応じた照明を行える。
【００１０】
また、前記使用状況は、バッテリの容量を含み、前記照明制御部は、前記同一の操作状態に対し、前記バッテリの容量に応じて表示態様を異ならせるようにしてもよい。
上記構成によれば、同一の操作状態であっても、バッテリーの容量を自動的に考慮した照明を行え、不必要に電力を消費してしまうこともない。
また、各種操作を行う操作部と、各種情報を表示する表示部と、前記表示部の照明を行う照明部と、を備えた携帯型情報処理装置の制御方法において、当該携帯型情報処理装置の使用状況を検出する使用状況検出過程と、前記操作部の操作状態および検出した使用状況に応じて前記照明部の照明態様を変更する照明制御過程と、を備えたことを特徴としている。
上記構成によれば、操作部の操作が同一であっても使用状況に応じて照明態様の変更態様を異ならせることができるので、ユーザの操作性が向上する。
【００１１】
また、各種操作を行う操作部と、各種情報を表示する表示部と、前記表示部の照明を行う照明部と、を備えた携帯型情報処理装置をコンピュータにより制御するための制御プログラムにおいて、当該携帯型情報処理装置の使用状況を検出させ、前記操作部の操作状態および検出した使用状況に応じて前記照明部の照明態様を変更させる、ことを特徴としている。
上記構成によれば、操作部の操作が同一であっても使用状況に応じて照明態様の変更態様を異ならせることができるので、ユーザの操作性が向上する。
この場合において、制御プログラムをコンピュータ読取可能な記録媒体に記録するようにしても良い。
【発明の効果】
【００１２】
本発明によれば、操作が容易であるにもかかわらず、使用状況に応じて照明装置の点灯時間等の照明態様を制御することができる。
【発明を実施するための最良の形態】
【００１３】
以下、図面を参照して、本発明の好適な実施形態について説明する。
以下の説明においては、本発明の携帯型情報処理装置をダイバーズ用情報処理装置として構成した場合を例として説明する。
【００１４】
図１は、ダイバーズ用情報処理装置の平面図である。
図１において、ダイバーズ用情報処理装置１は、いわゆるダイブコンピュータと呼ばれるものであり、潜水中のダイバーの水深位置や潜水時間を計算してそれらを表示するとともに、潜水中に体内に蓄積される不活性ガス量、（主に窒素量）を計測し、この計測結果から、潜水後に陸上にあがってから体内に蓄積された窒素が排出される時間などを表示するものである。
このダイバーズ用情報処理装置１は、円形の装置本体２に対して図面上下方向に腕バンド３、４がそれぞれ連結され、この腕バンド３、４によって腕時計と同様にダイバーの腕に装着して使用される。装置本体２は、上ケースと下ケースとが完全水密状態でビス止めなどの方法で同定され、この内部には各種の電子部品などが搭載された基板（図示せず）が収納されている。
【００１５】
装置本体２の上面側には、液晶パネル１１を有する表示部１０が設けられ、この表示部１０の図面下側にはダイバーズ用情報処理装置１で行われる各種操作を行うための操作部５が設けられ、この操作部５は、表面にＡ、Ｂ、Ｃ、Ｄと表記されたプッシュボタン形式のプッシュスイッチ１４〜１７を有している。
さらに表示部１０の裏面側には、表示部１０を照明するための照明装置１２が配置されている（図中、破線で示す）。
【００１６】
装置本体２の上面側には、潜水を開始したか否かを監視するための導通検知センサを用いた潜水動作監視スイッチ３０が設けられている。この潜水動作監視スイッチ３０は装置本体２の上面側に露出している２つの電極３０Ａ、３０Ｂを有し、これらの電極３０Ａ、３０Ｂが海水などで導通し、電極３０Ａ、３０Ｂ間の抵抗値が小さくなったときに入水を開始したものと判断する。但し、この潜水動作監視スイッチ３０は、あくまで入水したことを検出して、ダイビングモードに移行するのに用いられるだけで、１本のダイビングを開始した旨を検出するものではない。すなわち、ダイバーズ用情報処理装置１を装着した腕が海水に浸かっただけの場合もあり、このような場合にはダイビングを開始したものと扱うべきではないからである。このため、本実施形態のダイバーズ用情報処理装置１は、装置本体２に内蔵の図示しない圧力センサによって水深（水圧）が一定以上、たとえば、水深値が１．５ｍより深くなったときに、ダイビングを開始したものと見なし、この水深値（１．５ｍ）よりも浅くなったときにダイビングが終了したものと見なすこととなる。
図１においては、表示部１０には、月日・曜日情報５１（図１においては、１１月１１日水曜日）および時刻情報５２（図１においては、午前１１時１６分４７秒）が表示されている。
【００１７】
図２は、ダイバーズ用情報処理装置の概要構成ブロック図である。
ダイバーズ用情報処理装置１の機能は、図示しないＣＰＵ、ＲＯＭ、ＲＡＭなどを有し、マイクロコンピュータとして構成されたＭＰＵ４０で実現される。
【００１８】
具体的には、ＭＰＵ４０は、潜水動作監視スイッチ３０の状態に応じて使用状態（陸上で使用されているか、水中で使用されているか）を判別するための状況判別部４１と、操作部５を構成するプッシュスイッチ１４〜１７の操作時間および操作回数をカウントするカウント部４２と、状況判別部４１の判別結果に対応する照明装置１２の点灯時間を記憶する記憶部４３と、照明装置１２の点灯時間を制御するためのタイマ部４４と、操作部５の操作状態をカウント部４２を参照することにより特定し、当該操作状態および状況判別部４１の判別結果に応じた照明装置１２の点灯時間を記憶部４３から読み出すとともに、タイマ部４４に読み出した照明装置１２の点灯時間をセットして照明装置１２を点灯させる点灯制御部４５と、操作部５の操作状態に応じて表示部１０における各種表示制御を行う表示制御部４６と、を備えている。
図１に示したように、潜水を行っていない通常状態においては、ダイバーズ用情報処理装置は、月日・曜日情報５１および時刻情報５２が表示されている。
本実施形態においては、予めユーザが潜水時のモード（ＷＡＴＥＲモード）および非潜水時のモード（ＷＡＴＣＨモード）のそれぞれにおいて、初期状態で照明点灯操作を行った場合に照明装置１２を点灯させる時間を設定しておくようにされている。
【００１９】
まず、ここで、各モードにおける点灯時間の初期値の設定操作について説明する。
図３は、セットモードでＷＡＴＣＨモードにおける点灯時間を設定する際の表示画面の説明図である。
図１に示した月日・曜日情報５１および時刻情報５２が表示された状態において、操作部５のプッシュスイッチ１４（プッシュスイッチＡ）を押すと、図３に示すように、表示部１０の表示画面は、セットモードの表示画面となる。
このセットモードの表示画面においては、ＷＡＴＣＨモードで操作部５により照明装置１２の点灯操作を行った場合の点灯時間について現在設定されている点灯時間がＷＡＴＣＨモード点灯時間表示領域５３に表示され、ＷＡＴＥＲモードで操作部５により照明装置１２の点灯操作を行った場合の点灯時間について現在設定されている点灯時間がＷＡＴＥＲモード点灯時間表示領域５４に表示される。
さらに、初期状態においては、ＷＡＴＣＨモード点灯時間表示領域５３に表示されている点灯時間が反転表示されて、ＷＡＴＣＨモードにおける点灯時間の設定が可能である旨を示すようになっている。
【００２０】
図４は、点灯時間の設定値の選択動作の説明図である。
この状態で、プッシュスイッチ１６（プッシュスイッチＣ）を１回押すと、ＷＡＴＣＨモードにおける点灯時間の設定値が２０ｓｅｃとされ、ＷＡＴＣＨモード点灯時間表示領域５３に表示されることとなる。
さらに、この状態で、プッシュスイッチ１６をもう一度押すと、ＷＡＴＣＨモードにおける点灯時間の設定値が３０ｓｅｃとされ、ＷＡＴＣＨモード点灯時間表示領域５３に表示されることとなる。
さらにまた、この状態で、プッシュスイッチ１６をもう一度押すと、ＷＡＴＣＨモードにおける点灯時間の設定値が初期値の１０ｓｅｃとされ、ＷＡＴＣＨモード点灯時間表示領域５３に表示されることとなる。
そして、所望の設定値がＷＡＴＣＨモード点灯時間表示領域５３に表示されている状態で、プッシュスイッチ１７（プッシュスイッチＤ）を押すと、ＷＡＴＣＨモード点灯時間表示領域５３に表示されている時間に設定されることとなる。
【００２１】
図５は、セットモードでＷＡＴＥＲモードにおける点灯時間を設定する際の表示画面の説明図である。
そして、ＷＡＴＣＨモードにおける点灯時間が確定されると、今度は、ＷＡＴＥＲモード点灯時間表示領域５４に表示されている点灯時間が反転表示されて、ＷＡＴＥＲモードにおける点灯時間の設定が可能である旨を示すようになっている。
この状態で、ユーザは、ＷＡＴＣＨモードにおける点灯時間の設定と同様の手順でＷＡＴＥＲモードにおける点灯時間の設定を行うこととなる。
【００２２】
図６は、実使用時の照明装置の点灯処理のフローチャートである。
以下において、プッシュスイッチ１５が、照明装置１２を点灯させるためのスイッチとして使われるものとして説明する。
まず、ＭＰＵ４０は、操作部５のプッシュスイッチ１５が押されたか否かを判別する（ステップＳ１１）。
ステップＳ１１の判別において、プッシュスイッチ１５が押されていない場合には、ＭＰＵ４０は、待機状態となる。
【００２３】
次にＭＰＵ４０は、潜水動作監視スイッチ３０の状態により、ダイバーズ用情報処理装置１を装着しているユーザが非潜水時（ＷＡＴＣＨモード）なのか、潜水時（ＷＡＴＥＲモード）なのかを判別する（ステップＳ１２）。
ステップＳ１２の判別において、ダイバーズ用情報処理装置１を装着しているユーザが非潜水時（ＷＡＴＣＨモード）であると判別した場合には（ステップＳ１２；ＷＡＴＣＨ）、ＭＰＵ４０は、ＷＡＴＣＨモードにおける設定された点灯時間で照明装置１２を点灯させることとなる（ステップＳ１３）。
具体的には、ＭＰＵ４０は、タイマ部４４にＷＡＴＣＨモードにおける設定された点灯時間をセットし、タイマカウントを開始させるとともに、点灯制御部４５を制御して照明装置１２を点灯させる。そして、その後、タイマ部４４がタイムアップした場合には、点灯制御部４５を制御して照明装置１２を消灯させることとなる。
【００２４】
ステップＳ１２の判別において、ダイバーズ用情報処理装置１を装着しているユーザが潜水時（ＷＡＴＥＲモード）であると判別した場合には（ステップＳ１２；ＷＡＴＥＲ）、ＭＰＵ４０は、ＷＡＴＥＲモードにおける設定された点灯時間で照明装置１２を点灯させることとなる（ステップＳ１４）。
具体的には、ＭＰＵ４０は、タイマ部４４にＷＡＴＥＲモードにおける設定された点灯時間をセットし、タイマカウントを開始させるとともに、点灯制御部４５を制御して照明装置１２を点灯させる。そして、その後、タイマ部４４がタイムアップした場合には、点灯制御部４５を制御して照明装置１２を消灯させることとなる。
以上の説明のように、本第１実施形態によれば、使用状況（使用シーン）に合わせて、照明装置の点灯時間を容易に設定できる。
【００２５】
［２］第２実施形態
上記第１実施形態においては、潜水時と非潜水時とで予め操作部５（プッシュスイッチ１５）が操作されたときの照明装置の点灯時間が設定されている場合のものであったが、本第２実施形態は、点灯時間を操作部５の点灯操作の操作回数で変更可能とした場合の実施形態である。
図７は、第２実施形態のタイミングチャートである。
以下の説明においては、照明装置１２の初期状態における点灯時間は１５秒とされているものとする。
【００２６】
本第２実施形態では、操作部５のプッシュスイッチ１５が押された場合、ＭＰＵ４０のカウント部４２には、パルスが入力される。
これによりカウント部４２は、時刻ｔ１において、操作部５から第１パルスＰ１が入力された場合、カウント部４２は、その旨を点灯制御部４５に通知することとなる。
これにより、ＭＰＵ４０は、初期状態における点灯時間を１５秒としてタイマ部４４に設定するとともに、点灯制御部４５を制御して、照明装置１２を時刻ｔ１から点灯させる。
これと並行して、カウント部４２は、第１パルスＰ１が入力されたタイミングから１秒以内に、操作部５のプッシュスイッチ１５が何回押されたのかを、パルス数をカウントすることにより検出する。
【００２７】
具体的には、図６の場合、第１パルスＰ１が入力されたタイミングから１秒以内に第２パルスＰ２および第３パルスＰ３が入力されたことから、カウント部４２は、合計３回操作部５のプッシュスイッチ１５が押されたことを検出する。
これにより、ＭＰＵ４０は、タイマ部４４と同期をとりながら、タイマ部４４の設定を変更し、
１５秒×３＝４５秒間
の点灯を行うように設定を行う。
以上の説明のように、本第２実施形態によれば、簡易な操作で容易に、照明装置の点灯時間を所望の時間に設定することが可能となる。
【００２８】
［３］第３実施形態
上記第２実施形態においては、点灯時間を操作部５の点灯操作の操作回数で変更可能とした場合のものであったが、本第３実施形態は、点灯時間を操作部５の点灯操作の操作時間で変更可能とした実施形態である。
【００２９】
図８は、第３実施形態のタイミングチャートである。
以下の説明においては、照明装置１２の初期状態における点灯時間は１５秒とされているものとする。
本第２実施形態では、操作部５のプッシュスイッチ１５が押された場合、ＭＰＵ４０のカウント部４２には、パルスが入力される。
これによりカウント部４２は、時刻ｔ１において、操作部５からパルスＰが入力された場合、カウント部４２は、その旨を点灯制御部４５に通知することとなる。
これにより、ＭＰＵ４０は、初期状態における点灯時間を１５秒としてタイマ部４４に設定するとともに、点灯制御部４５を制御して、照明装置１２を時刻ｔ１から点灯させる。
【００３０】
これと並行して、カウント部４２は、パルスＰのパルス幅が何秒（１秒未満切り捨て）であったのかを検出する。
具体的には、図７の場合、パルスＰのパルス幅は、１秒以上２秒未満であるので、操作部５のプッシュスイッチ１５が１秒間押されたとして検出する。
これにより、ＭＰＵ４０は、タイマ部４４と同期をとりながら、タイマ部４４の設定を変更し、
３０秒×１＝３０秒間
の点灯を行うように設定を行う。
以上の説明のように、本第３実施形態によっても、簡易な操作で容易に、照明装置の点灯時間を所望の時間に設定することが可能となる。
【００３１】
［４］第４実施形態
上記第１実施形態ないし第３実施形態においては、バッテリの容量については考慮していなかったが、本第４実施形態は、操作部５の点灯操作の操作回数およびバッテリの容量を考慮して点灯時間を変更可能とした場合の実施形態である。
図９は、第４実施形態の処理フローチャートである。
以下の説明においては、照明装置１２の初期状態における基準点灯時間は１５秒とされているものとする。
まず、ＭＰＵ４０は、操作部５のプッシュスイッチ１５が押されたか否かを判別する（ステップＳ２１）。
ステップＳ２１の判別において、プッシュスイッチ１５が押されていない場合には（ステップＳ２１；Ｎｏ）、ＭＰＵ４０は、待機状態となる。
ステップＳ２１の判別において、プッシュスイッチ１５が押された場合には（ステップＳ２１；Ｙｅｓ）、ＭＰＵ４０は、操作部５のプッシュスイッチ１５が押されてから１秒が経過したことを判別すべく、１秒計測を開始し、プッシュスイッチ１５の押された回数をカウントするための操作カウントＣを初期値である１とする（ステップＳ２２）。
【００３２】
続いてＭＰＵは、プッシュスイッチ１５が押されてから１秒が経過したか否かを判別する（ステップＳ２３）。
ステップＳ２３の判別において、プッシュスイッチ１５が押されてから１秒が経過していない場合には（ステップＳ２３；Ｎｏ）、再びＭＰＵ４０は、操作部５のプッシュスイッチ１５が押されたか否かを判別する（ステップＳ２４）。
ステップＳ２４の判別において、プッシュスイッチ１５が押されていない場合には（ステップＳ２４；Ｎｏ）、ＭＰＵ４０は、処理を再びステップＳ２３に移行する。
ステップＳ２４の判別において、プッシュスイッチ１５が押された場合には（ステップＳ２４；Ｙｅｓ）、ＭＰＵ４０は、操作カウントＣに１を加算し、
Ｃ＝Ｃ＋１
とし（ステップＳ２５）、処理をステップＳ２３に移行する。
【００３３】
ステップＳ２３の判別において、プッシュスイッチ１５が押されてから１秒が経過した場合には（ステップＳ２３；Ｙｅｓ）、ＭＰＵ４０は、バッテリの容量をチェックし、バッテリの容量が、４段階の容量レベルＬ＝３〜０のいずれに属するかを判別する（ステップＳ２６）。
この場合において、容量レベルＬの値が大きいほどバッテリ容量が多いものとする。
ステップＳ２６の判別において、バッテリ容量レベルＬ＝３である場合には、ＭＰＵ４０は、照明装置１２の点灯時間を操作カウントＣの値×１５秒とし（ステップＳ）、照明装置１２の点灯制御を行うこととなる。
具体的には、Ｃ＝３の場合、点灯時間は、
３×１５＝４５秒
となる。
【００３４】
ステップＳ２６の判別において、バッテリ容量レベルＬ＝２である場合には、ＭＰＵ４０は、照明装置１２の点灯時間を操作カウントＣの値／２×１５秒とし（ステップＳ３２）、照明装置１２の点灯制御を行うこととなる。
具体的には、Ｃ＝３の場合、点灯時間は、
３／２×１５＝２２．５秒
となる。
ステップＳ２６の判別において、バッテリ容量レベルＬ＝１である場合には（ステップＳ２９）、ＭＰＵ４０は、照明装置１２の点灯時間を１５秒とし（ステップＳ３３）、照明装置１２の点灯制御を行うこととなる。
ステップＳ２６の判別において、バッテリ容量レベルＬ＝０である場合には（ステップＳ２９）、ＭＰＵ４０は、照明装置１２の点灯時間を０秒とし（ステップＳ３３）、バッテリーの容量不足を加速させないように制御する。
【００３５】
以上の説明のように、本第４実施形態によれば、バッテリの残容量も考慮して、照明装置の点灯制御を行うので、照明装置１２の点灯により、ダイバーズ用情報処理装置の本来の処理が行えなくなるのを防止することとなる。
以上の第４実施形態の説明においては、バッテリ容量以外の使用状況については考慮していなかったが、さらに潜水／非潜水状態を考慮し、上述した基準点灯時間である１５秒を使用状況に応じて変更することも可能である。例えば、潜水状態では、基準点灯時間を３０秒とし、非潜水状態では基準点灯時間を１５秒とするようにしたりすることも可能である。
【００３６】
［５］実施形態の効果
携帯型情報処理装置の場合、電池容量が小さいため、照明装置のような大電流を流す消費電力の大きなデバイスは極力駆動時間を短くしたいことととなるが、点灯時間が短いと、表示内容を認識するのが非常に困難であり、また表示をみながら行動を行う場合に、常にボタン等を操作しなければならない。
しかしながら、上述したように、本実施形態によれば、使用状況（使用シーン）に合わせて、照明装置の点灯時間を容易に増減でき、より使い易い携帯型情報処理装置を提供することができる。
【００３７】
さらに、必要な点灯時間をその都度ユーザが簡単に設定できるので、使い勝手を悪くすることなく不必要な消費電力を削減し、低消費電流が要求される携帯型情報処理装置に非常に有効である。
特に水中で作業を行う場合は、水深をみながら浮上等を行うため、カメラ、工具等を手にもっているような場合であって、頻繁に携帯型情報処理装置を操作できない場合などでも使い勝手がよく、携帯型情報処理装置の本来の機能を確実に実行させることができ安全面でも効果をあげることができる。
【００３８】
［６］実施形態の変形例
以上の説明においては、照明態様の変更として、照明時間の変更についてのみ説明したが、これに代えてあるいはこれに加えて照明の明るさを変更するように構成することも可能である。
以上の説明においては、上記各機能を実現するための制御プログラムが、予め図示しないＲＯＭに格納されている場合について説明したが、携帯型情報処理装置にインタフェース部を設け、制御プログラムを、コンピュータ（ＣＰＵ）読取可能な記録媒体に記録するようにしてもよい。このような構成であれば、コンピュータによってプログラムが記憶媒体から読み取られ、読み取られたプログラムに従ってコンピュータが処理を実行すると、上記各実施形態と同等の作用および効果が得られる。
【００３９】
ここで、記憶媒体とは、ＲＡＭ、ＲＯＭ等の半導体記憶媒体、ＦＤ、ＨＤ等の磁気記憶型記憶媒体、ＣＤ、ＣＤＶ、ＬＤ、ＤＶＤ等の光学的読取方式記憶媒体、ＭＯ等の磁気記憶型／光学的読取方式記憶媒体であって、電子的、磁気的、光学的等の読み取り方法のいかんにかかわらず、コンピュータで読み取り可能な記憶媒体であれば、どのような記憶媒体であってもよい。
また、インターネット、ＬＡＮなどの通信ネットワークを介して制御用プログラムをダウンロードし、インストールして実行するように構成することも可能である。
【図面の簡単な説明】
【００４０】
【図１】ダイバーズ用情報処理装置の平面図である。
【図２】ダイバーズ用情報処理装置の概要構成ブロック図である。
【図３】セットモードでＷＡＴＣＨモードにおける点灯時間を設定する際の表示画面の説明図である。
【図４】点灯時間の設定値の選択動作の説明図である。
【図５】セットモードでＷＡＴＥＲモードにおける点灯時間を設定する際の表示画面の説明図である。
【図６】実使用時の照明装置の点灯処理のフローチャートである。
【図７】第２実施形態のタイミングチャートである。
【図８】第３実施形態のタイミングチャートである。
【図９】第４実施形態の処理フローチャートである。
【符号の説明】
【００４１】
１…ダイバーズ用情報処理装置、２…装置本体、３…腕バンド、５…操作部、１０…表示部、１１…液晶パネル、１２…照明装置、１４…プッシュスイッチ、１５…プッシュスイッチ、１６…プッシュスイッチ、１７…プッシュスイッチ、３０…潜水動作監視スイッチ、４０…ＭＰＵ（使用状況検出部、照明制御部）、４１…状況判別部（使用状況検出部）、４２…カウント部、４３…カウント部、４３…記憶部、４４…タイマ部、４５…点灯制御部（照明制御部）、４６…表示制御部、５１…月日・曜日情報、５２…時刻情報、５３…ＷＡＴＣＨモード点灯時間表示領域、５４…ＷＡＴＥＲモード点灯時間表示領域。
【図１】
2008234399.tif 000003
【図２】
2008234399.tif 000004
【図３】
2008234399.tif 000005
【図４】
2008234399.tif 000006
【図５】
2008234399.tif 000007
【図６】
2008234399.tif 000008
【図７】
2008234399.tif 000009
【図８】
2008234399.tif 000010
【図９】
2008234399.tif 000011